(57)【要約】  受信ダイバーシチを実装する１つ以上のイコライザフィルタおよびタップ係数ジェネレータを含む受信機。イコライザフィルタは複数のアンテナにより受信された信号から得られた信号を処理する。アンテナからのサンプル・データ・ストリームは１つのサンプル・データ・ストリームにマージされ、マージされたサンプル・データ・ストリームは単一拡張イコライザフィルタにより処理されることによってフィルタ係数が共通誤差信号に従って調節され、イコライザフィルタで使用されるフィルタ係数の補正項はＮＬＭＳアルゴリズムを使用してタップ係数ジェネレータにより生成される。また複数のイコライザフィルタを利用することにより各イコライザは特定の１つのアンテナからサンプル・データ・ストリームを受信する。さらにまたサンプル・データ・ストリームは複数の整合フィルタによりそれぞれの推定チャネルインパルス応答に基づいて処理された後に組み合わされる。
2008519559.tif 000002
【特許請求の範囲】
【請求項１】
信号を受信する複数のアンテナと、
前記アンテナのそれぞれの１つにより受信される信号によってそれぞれのサンプル・データ・ストリームを生成して、複数のサンプル・データ・ストリームを生成する、前記アンテナのそれぞれの１つに連結される複数のサンプラと、
前記サンプラによって生成されたサンプル・データ・ストリームを１つのマージされたサンプル・データ・ストリームにマージするマルチプレクサと、
前記マージされたサンプル・データ・ストリームを処理するイコライザと
を備えたことを特徴とする受信機。
【請求項２】
前記受信機は、前記サンプル・データ・ストリームがそれぞれのサンプラによって２倍のチップレートにおいてサンプリングされ、および前記マージされたサンプル・データ・ストリームが前記イコライザによって４倍の前記チップレートにおいて処理される符号分割多重接続（ＣＤＭＡ）受信機であることを特徴とする請求項１に記載の受信機。
【請求項３】
前記イコライザは、
前記マージされたサンプルストリームをフィルタ係数により処理するイコライザフィルタと、
前記イコライザフィルタにより使用される少なくとも１つのフィルタ係数の補正項を生成するタップ係数ジェネレータと
を有することを特徴とする請求項１に記載の受信機。
【請求項４】
前記フィルタ係数の補正項が、デスプレッドパイロットのシーケンスにより生成されることを特徴とする請求項３に記載の受信機。
【請求項５】
前記フィルタ係数の補正項が、非デスプレッドパイロットのシーケンスにより生成されることを特徴とする請求項３に記載の受信機。
【請求項６】
前記フィルタ係数の補正項が、正規化された最小二乗平均（ＮＬＭＳ）のアルゴリズムを使用して前記タップ係数ジェネレータにより生成されることを特徴とする請求項３に記載の受信機。
【請求項７】
前記タップ係数ジェネレータは、
前記イコライザフィルタの第１出力からイコライザ出力信号を受信し、および前記イコライザ出力信号をスクランブルコード共役信号と乗算して、デスクランブルイコライザ出力信号を生成するよう構成され、前記イコライザフィルタの第１出力に連結される第１乗算器と、
前記イコライザフィルタの第２出力からイコライザＴＤＬ信号を受信し、および前記イコライザＴＤＬ信号をスクランブルコード共役信号と乗算して、値Ｘを有するベクトル信号を生成するよう構成され、前記イコライザフィルタの第２出力に連結される第２乗算器と、
パイロット基準信号から前記第１デスクランブル信号を減算して誤差信号を生成する加算器と、
ベクトル信号を受信し、‖Ｘ‖2に等しい値を有する信号を生成するベクトル・ノルム・スクェア・エスティメータと、
前記イコライザフィルタにより使用されるタップ値を表すベクトル信号を生成して、前記イコライザ出力信号および前記イコライザＴＤＬ信号を生成するタップ補正ユニットと
を有することを特徴とする請求項３に記載の受信機。
【請求項８】
信号を受信する複数のアンテナと、
前記アンテナのそれぞれの１つにより受信された信号によってそれぞれのサンプル・データ・ストリームを生成して、複数のサンプル・データ・ストリームを生成する、前記アンテナのそれぞれの１つに連結される複数のサンプラと、
前記サンプル・データ・ストリームを処理するイコライザと
を備えたことを特徴とする受信機。
【請求項９】
前記受信機は、前記サンプル・データ・ストリームがそれぞれのサンプラによって２倍のチップレートにおいてサンプリングされる符号分割多重接続（ＣＤＭＡ）受信機であることを特徴とする請求項８に記載の受信機。
【請求項１０】
前記イコライザは、
フィルタ係数を使用して前記サンプル・データ・ストリームを処理する、前記サンプラのそれぞれの１つに連結される複数のイコライザフィルタと、
前記イコライザフィルタにより使用される少なくとも１つのフィルタ係数の補正項を生成するタップ係数ジェネレータと
を有することを特徴とする請求項８に記載の受信機。
【請求項１１】
前記受信機は、前記サンプル・データ・ストリームがそれぞれのサンプラによって２倍のチップレートにおいてサンプリングされ、および前記それぞれのイコライザフィルタによってチップレートにダウンサンプリングされる符号分割多重接続（ＣＤＭＡ）受信機であることを特徴とする請求項１０に記載の受信機。
【請求項１２】
前記フィルタ係数の補正項が、デスプレッドパイロットのシーケンスにより生成されることを特徴とする請求項１０に記載の受信機。
【請求項１３】
前記フィルタ係数の補正項が、非デスプレッドパイロットのシーケンスにより生成されることを特徴とする請求項１０に記載の受信機。
【請求項１４】
前記フィルタ係数の補正項が、正規化された最小二乗平均（ＮＬＭＳ）のアルゴリズムを使用して前記タップ係数ジェネレータにより生成されることを特徴とする請求項１０に記載の受信機。
【請求項１５】
前記タップ係数ジェネレータは、
各々それぞれのサンプル・データ・ストリームを長さＬのベクトル信号に変換する、前記サンプラおよびイコライザフィルタのそれぞれの１つに連結される複数のシリアル−パラレル（Ｓ→Ｐ）−ベクトル変換器と、
それぞれのＳ→Ｐ−ベクトル変換器によって出力された長さＬのベクトル信号をスクランブルコード共役信号と乗算して、デスクランブルベクトル信号を生成する、Ｓ→Ｐ−ベクトル変換器のそれぞれの１つに連結される複数のベクトルデスクランブル乗算器と、
前記イコライザフィルタの各々によって生成された等化された出力信号を加算して、加算されたイコライザ出力信号を生成する、前記イコライザフィルタの各々に連結される第１加算器と、
前記加算されたイコライザ出力信号を前記スクランブルコード共役信号と乗算して、デスクランブルされ加算されたイコライザ信号を生成する、前記第１加算器に連結されるイコライザ出力乗算器と、
パイロット基準信号から前記デスクランブルされ加算されたイコライザ信号を減算して、共通誤差信号を生成する第２加算器と、
前記共通誤差信号およびそれぞれのベクトルデスクランブル乗算器により生成されるそれぞれのデスクランブルベクトル信号によって前記イコライザフィルタのそれぞれの１つにより使用される補正項を出力する、前記加算器、前記ベクトルデスクランブル乗算器のそれぞれの１つおよび前記イコライザフィルタのそれぞれの１つに連結される複数の補正項ジェネレータと
を有することを特徴とする請求項１０に記載の受信機。
【請求項１６】
前記タップ係数ジェネレータは、
前記ベクトルデスクランブル乗算器のそれぞれの１つと前記補正項ジェネレータのそれぞれの１つとの間に連結された複数のベクトルアキュムレータと、
前記イコライザ出力乗算器と前記第２加算器との間に連結されたチップアキュムレータと
をさらに有することを特徴とする請求項１５に記載の受信機。
【請求項１７】
信号を受信する複数のアンテナと、
前記アンテナのそれぞれの１つにより受信された信号によってそれぞれのサンプル・データ・ストリームを生成して、複数のサンプル・データ・ストリームを生成する、前記アンテナのそれぞれの１つに連結される複数のサンプラと、
チャネルインパルス応答を推定する複数のチャネル推定器と、
前記推定されたチャネルインパルス応答により前記サンプル・データ・ストリームを処理する、前記サンプラのそれぞれの１つに連結される複数の整合フィルタ（ＭＦ）と、
前記ＭＦからの出力を組み合わせるコンバイナと、
前記組み合わされたＭＦの出力を処理するイコライザと
を備えたことを特徴とする受信機。
【請求項１８】
前記受信機は、前記サンプル・データ・ストリームがそれぞれのサンプラによって２倍のチップレートにおいてサンプリングされる符号分割多重接続（ＣＤＭＡ）受信機であることを特徴とする請求項１７に記載の受信機。
【請求項１９】
前記コンバイナは、前記アンテナにより受信される信号の複数のマルチパス成分を組み合わせることを特徴とする請求項１７に記載の受信機。
【請求項２０】
前記イコライザは、
フィルタ係数を使用して前記組み合わされたＭＦの出力を処理するイコライザフィルタと、
前記イコライザフィルタにより使用される少なくとも１つのフィルタ係数の補正項を生成するタップ係数ジェネレータと
を有することを特徴とする請求項１７に記載の受信機。
【請求項２１】
前記受信機は、前記サンプル・データ・ストリームがそれぞれのサンプラによって２倍のチップレートにおいてサンプリングされ、および前記イコライザフィルタによってチップレートにダウンサンプリングされる符号分割多重接続（ＣＤＭＡ）受信機であることを特徴とする請求項１７に記載の受信機。
【請求項２２】
前記フィルタ係数の補正項が、デスプレッドパイロットのシーケンスにより生成されることを特徴とする請求項２０に記載の受信機。
【請求項２３】
前記フィルタ係数の補正項が、非デスプレッドパイロットのシーケンスにより生成されることを特徴とする請求項２０に記載の受信機。
【請求項２４】
前記フィルタ係数の補正項が、正規化された最小二乗平均（ＮＬＭＳ）のアルゴリズムを使用して前記タップ係数ジェネレータにより生成されることを特徴とする請求項１５に記載の受信機。
【請求項２５】
前記タップ係数ジェネレータは、
前記組み合わされたＭＦの出力を長さＬのベクトル信号に変換する、前記コンバイナおよび前記イコライザフィルタに連結されるシリアル−パラレル（Ｓ→Ｐ）−ベクトル変換器と、
前記Ｓ→Ｐ−ベクトル変換器によって出力された長さＬのベクトル信号をスクランブルコード共役信号と乗算して、デスクランブルベクトル信号を生成する、前記Ｓ→Ｐ−ベクトル変換器に連結されるベクトルデスクランブル乗算器と、
前記イコライザフィルタにより生成されたイコライザ出力信号をスクランブルコード共役信号と乗算して、デスクランブルイコライザ信号を生成する、前記イコライザフィルタに連結されるイコライザ出力乗算器と、
パイロット基準信号から前記デスクランブルイコライザ信号を減算して誤差信号を生成する加算器と、
前記誤差信号および前記ベクトルデスクランブル乗算器により生成されたデスクランブルベクトル信号によって前記イコライザフィルタにより使用される補正項を出力する、前記加算器、前記ベクトルデスクランブル乗算器および前記イコライザフィルタに連結される補正項ジェネレータと
を有することを特徴とする請求項２０に記載の受信機。
【請求項２６】
前記タップ係数ジェネレータは、
前記ベクトルデスクランブル乗算器と前記補正項ジェネレータとの間に連結されたベクトルアキュムレータと、
前記イコライザ出力乗算器と前記加算器との間に連結されたチップアキュムレータと
をさらに有することを特徴とする請求項２５に記載の受信機。
【請求項２７】
信号を受信する複数のアンテナを有する受信機と共に使用される集積回路（ＩＣ）であって、
前記アンテナのそれぞれの１つにより受信された信号によってそれぞれのサンプル・データ・ストリームを生成して、複数のサンプル・データ・ストリームを生成する、前記アンテナのそれぞれの１つに連結される複数のサンプラと、
前記サンプラによって生成されたサンプル・データ・ストリームを１つのマージされたサンプル・データ・ストリームにマージするマルチプレクサと、
前記マージされたサンプル・データ・ストリームを処理するイコライザと
を備えたことを特徴とするＩＣ。
【請求項２８】
前記受信機が符号分割多重接続（ＣＤＭＡ）受信機であり、前記サンプル・データ・ストリームがそれぞれのサンプラによって２倍のチップレートにおいてサンプリングされ、および前記マージされたサンプル・データ・ストリームが前記イコライザによって４倍の前記チップレートにおいて処理されることを特徴とする請求項２７に記載のＩＣ。
【請求項２９】
前記イコライザは、
前記マージされたサンプルストリームをフィルタ係数により処理するイコライザフィルタと、
前記イコライザフィルタにより使用される少なくとも１つのフィルタ係数の補正項を生成するタップ係数ジェネレータと
を有することを特徴とする請求項２７に記載のＩＣ。
【請求項３０】
前記フィルタ係数の補正項が、デスプレッドパイロットのシーケンスにより生成されることを特徴とする請求項２９に記載のＩＣ。
【請求項３１】
前記フィルタ係数の補正項が、非デスプレッドパイロットのシーケンスにより生成されることを特徴とする請求項２９に記載のＩＣ。
【請求項３２】
前記フィルタ係数の補正項が、正規化された最小二乗平均（ＮＬＭＳ）のアルゴリズムを使用して前記タップ係数ジェネレータにより生成されることを特徴とする請求項２９に記載のＩＣ。
【請求項３３】
前記タップ係数ジェネレータは、
前記イコライザフィルタの第１出力からイコライザ出力信号を受信し、および前記イコライザ出力信号をスクランブルコード共役信号と乗算して、デスクランブルイコライザ出力信号を生成するよう構成され、前記イコライザフィルタの第１出力に連結される第１乗算器と、
前記イコライザフィルタの第２出力からイコライザＴＤＬ信号を受信し、および前記イコライザＴＤＬ信号をスクランブルコード共役信号と乗算して、値Ｘを有するベクトル信号を生成するよう構成され、前記イコライザフィルタの第２出力に連結される第２乗算器と、
パイロット基準信号から前記第１デスクランブル信号を減算して誤差信号を生成する加算器と、
ベクトル信号を受信し、‖Ｘ‖2に等しい値を有する信号を生成するベクトル・ノルム・スクェア・エスティメータと、
前記イコライザフィルタにより使用されるタップ値を表すベクトル信号を生成して、前記イコライザ出力信号および前記イコライザＴＤＬ信号を生成するタップ補正ユニットと
を有することを特徴とする請求項２９に記載のＩＣ。
【請求項３４】
信号を受信する複数のアンテナを有する受信機と共に使用される集積回路（ＩＣ）であって、
前記アンテナのそれぞれの１つにより受信された信号によってそれぞれのサンプル・データ・ストリームを生成して、複数のサンプル・データ・ストリームを生成する、前記アンテナのそれぞれの１つに連結される複数のサンプラと、
前記サンプル・データ・ストリームを処理するイコライザと
を備えたことを特徴とするＩＣ。
【請求項３５】
前記受信機が符号分割多重接続（ＣＤＭＡ）受信機であり、および前記サンプル・データ・ストリームがそれぞれのサンプラによって２倍のチップレートにおいてサンプリングされることを特徴とする請求項３４に記載のＩＣ。
【請求項３６】
前記イコライザは、
フィルタ係数を使用して前記サンプル・データ・ストリームを処理する、前記サンプラのそれぞれの１つに連結される複数のイコライザフィルタと、
前記イコライザフィルタにより使用される少なくとも１つのフィルタ係数の補正項を生成するタップ係数ジェネレータと
を有することを特徴とする請求項３４に記載のＩＣ。
【請求項３７】
前記受信機が符号分割多重接続（ＣＤＭＡ）受信機であり、および前記サンプル・データ・ストリームがそれぞれのサンプラによって２倍のチップレートにおいてサンプリングされて、前記それぞれのイコライザフィルタによってチップレートにダウンサンプリングされることを特徴とする請求項３６に記載のＩＣ。
【請求項３８】
前記フィルタ係数の補正項が、デスプレッドパイロットのシーケンスにより生成されることを特徴とする請求項３６に記載のＩＣ。
【請求項３９】
前記フィルタ係数の補正項が、非デスプレッドパイロットのシーケンスにより生成されることを特徴とする請求項３６に記載のＩＣ。
【請求項４０】
前記フィルタ係数の補正項が、正規化された最小二乗平均（ＮＬＭＳ）のアルゴリズムを使用して前記タップ係数ジェネレータにより生成されることを特徴とする請求項３６に記載のＩＣ。
【請求項４１】
前記タップ係数ジェネレータは、
各々それぞれのサンプル・データ・ストリームを長さＬのベクトル信号に変換する、前記サンプラおよびイコライザフィルタのそれぞれの１つに連結される複数のシリアル−パラレル（Ｓ→Ｐ）−ベクトル変換器と、
それぞれのＳ→Ｐ−ベクトル変換器によって出力された長さＬのベクトル信号をスクランブルコード共役信号と乗算して、デスクランブルベクトル信号を生成する、Ｓ→Ｐ−ベクトル変換器のそれぞれの１つに連結される複数のベクトルデスクランブル乗算器と、
前記イコライザフィルタの各々によって生成された等化された出力信号を加算して、加算されたイコライザ出力信号を生成する、前記イコライザフィルタの各々に連結される第１加算器と、
前記加算されたイコライザ出力信号を前記スクランブルコード共役信号と乗算して、デスクランブルされ加算されたイコライザ信号を生成する、前記第１加算器に連結されるイコライザ出力乗算器と、
パイロット基準信号から前記デスクランブルされ加算されたイコライザ信号を減算して、共通誤差信号を生成する第２加算器と、
前記共通誤差信号およびそれぞれのベクトルデスクランブル乗算器により生成されるそれぞれのデスクランブルベクトル信号によって前記イコライザフィルタのそれぞれの１つにより使用される補正項を出力する、前記加算器、前記ベクトルデスクランブル乗算器のうちの１つおよび前記イコライザフィルタのそれぞれの１つに連結される複数の補正項ジェネレータと
を有することを特徴とする請求項３６に記載のＩＣ。
【請求項４２】
前記タップ係数ジェネレータは、
前記ベクトルデスクランブル乗算器のそれぞれの１つと前記補正項ジェネレータのそれぞれの１つとの間に連結された複数のベクトルアキュムレータと、
前記イコライザ出力乗算器と前記第２加算器との間に連結されたチップアキュムレータと
をさらに有することを特徴とする請求項４１に記載のＩＣ。
【請求項４３】
信号を受信する複数のアンテナを有する受信機と共に使用される集積回路（ＩＣ）であって、
前記アンテナのそれぞれの１つにより受信された信号によってそれぞれのサンプル・データ・ストリームを生成して、複数のサンプル・データ・ストリームを生成する、前記アンテナのそれぞれの１つに連結される複数のサンプラと、
チャネルインパルス応答を推定する複数のチャネル推定器と、
前記推定されたチャネルインパルス応答により前記サンプル・データ・ストリームを処理する、前記サンプラのそれぞれの１つに連結される複数の整合フィルタ（ＭＦ）と、
前記ＭＦからの出力を組み合わせるコンバイナと、
前記組み合わされたＭＦの出力を処理するイコライザと
を備えたことを特徴とするＩＣ。
【請求項４４】
前記受信機が符号分割多重接続（ＣＤＭＡ）受信機であり、および前記サンプル・データ・ストリームがそれぞれのサンプラによって２倍のチップレートにおいてサンプリングされることを特徴とする請求項４３に記載のＩＣ。
【請求項４５】
前記コンバイナは、前記アンテナにより受信される信号の複数のマルチパス成分を組み合わせることを特徴とする請求項４３に記載のＩＣ。
【請求項４６】
前記イコライザは、
フィルタ係数を使用して前記組み合わされたＭＦの出力を処理するイコライザフィルタと、
前記イコライザフィルタにより使用される少なくとも１つのフィルタ係数の補正項を生成するタップ係数ジェネレータと
を有することを特徴とする請求項４３に記載のＩＣ。
【請求項４７】
前記受信機は、前記サンプル・データ・ストリームがそれぞれのサンプラによって２倍のチップレートにおいてサンプリングされ、および前記イコライザフィルタによってチップレートにダウンサンプリングされる符号分割多重接続（ＣＤＭＡ）受信機であることを特徴とする請求項４３に記載のＩＣ。
【請求項４８】
前記フィルタ係数の補正項が、デスプレッドパイロットのシーケンスにより生成されることを特徴とする請求項４６に記載のＩＣ。
【請求項４９】
前記フィルタ係数の補正項が、非デスプレッドパイロットのシーケンスにより生成されることを特徴とする請求項４６に記載のＩＣ。
【請求項５０】
前記フィルタ係数の補正項が、正規化された最小二乗平均（ＮＬＭＳ）のアルゴリズムを使用して前記タップ係数ジェネレータにより生成されることを特徴とする請求項４６に記載のＩＣ。
【請求項５１】
前記タップ係数ジェネレータは、
前記組み合わされたＭＦの出力を長さＬのベクトル信号に変換する、前記コンバイナおよび前記イコライザフィルタに連結されるシリアル−パラレル（Ｓ→Ｐ）−ベクトル変換器と、
前記Ｓ→Ｐ−ベクトル変換器によって出力された長さＬのベクトル信号をスクランブルコード共役信号と乗算して、デスクランブルベクトル信号を生成する、前記Ｓ→Ｐ−ベクトル変換器に連結されるベクトルデスクランブル乗算器と、
前記イコライザフィルタにより生成されたイコライザ出力信号をスクランブルコード共役信号と乗算して、デスクランブルイコライザ信号を生成する、前記イコライザフィルタに連結されるイコライザ出力乗算器と、
パイロット基準信号から前記デスクランブルイコライザ信号を減算して誤差信号を生成する加算器と、
前記誤差信号および前記ベクトルデスクランブル乗算器により生成されたデスクランブルベクトル信号によって前記イコライザフィルタにより使用される補正項を出力する、前記加算器、前記ベクトルデスクランブル乗算器および前記イコライザフィルタに連結される補正項ジェネレータと
を有することを特徴とする請求項４６に記載のＩＣ。
【請求項５２】
前記タップ係数ジェネレータは、
前記ベクトルデスクランブル乗算器と前記補正項ジェネレータとの間に連結されたベクトルアキュムレータと、
前記イコライザ出力乗算器と前記加算器との間に連結されたチップアキュムレータと
をさらに有することを特徴とする請求項５１に記載のＩＣ。
【請求項５３】
複数のアンテナから受信される信号を処理する方法であって、
（ａ）前記アンテナのそれぞれの１つにより受信される信号によって、複数のサンプル・データ・ストリームを生成するステップと、
（ｂ）前記サンプル・データ・ストリームを１つのマージされたサンプル・データ・ストリームにマージするステップと、
（ｃ）前記マージされたサンプル・データ・ストリームを処理するステップと
を備えたことを特徴とする方法。
【請求項５４】
前記ステップ（ａ）〜（ｃ）を実行するのに符号分割多重接続（ＣＤＭＡ）受信機が使用され、
（ｄ）前記サンプル・データ・ストリームを２倍のチップレートにおいてサンプリングするステップと、
（ｅ）前記マージされたサンプル・データ・ストリームを４倍の前記チップレートにおいて処理するステップと
をさらに備えたことを特徴とする請求項５３に記載の方法。
【請求項５５】
（ｄ）前記マージされたサンプルストリームをフィルタ係数により処理するステップと、
（ｅ）少なくとも１つのフィルタ係数の補正項を生成するステップと
をさらに備えたことを特徴とする請求項５３に記載の方法。
【請求項５６】
前記フィルタ係数の補正項が、デスプレッドパイロットのシーケンスによって生成されることを特徴とする請求項５５に記載の方法。
【請求項５７】
前記フィルタ係数の補正項が、非デスプレッドパイロットのシーケンスによって生成されることを特徴とする請求項５５に記載の方法。
【請求項５８】
前記フィルタ係数の補正項が、正規化された最小二乗平均（ＮＬＭＳ）のアルゴリズムを使用して生成されることを特徴とする請求項５５に記載の方法。
【請求項５９】
（ｆ）等化された出力信号を受信し、および前記等化された出力信号をスクランブルコード共役信号と乗算して、デスクランブルされ等化された出力信号を生成するステップと、
（ｇ）イコライザＴＤＬ信号を受信し、および前記イコライザＴＤＬ信号を前記スクランブルコード共役信号と乗算して、値Ｘを有するベクトル信号を生成するステップと、
（ｈ）パイロット基準信号から前記第１デスクランブル信号を減算して、誤差信号を生成するステップと、
（ｉ）前記ベクトル信号によって、‖Ｘ‖2に等しい値を有する信号を生成するステップと、
（ｊ）前記等化された出力信号および前記イコライザＴＤＬ信号を生成するのに使用されるタップ値を表すベクトル信号を生成するステップと
をさらに備えたことを特徴とする請求項５５に記載の方法。
【請求項６０】
複数のアンテナから受信される信号を処理する方法であって、
（ａ）前記アンテナのそれぞれの１つにより受信された前記信号によって、複数のサンプル・データ・ストリームを生成するステップと、
（ｂ）前記サンプル・データ・ストリームを処理するステップと
を備えたことを特徴とする方法。
【請求項６１】
前記ステップ（ａ）および（ｂ）を実行するのに符号分割多重接続（ＣＤＭＡ）受信機が使用され、
（ｃ）前記サンプル・データ・ストリームを２倍のチップレートにおいてサンプリングするステップと
をさらに備えたことを特徴とする請求項６０に記載の方法。
【請求項６２】
（ｃ）フィルタ係数を使用して前記サンプル・データ・ストリームを処理するステップと、
（ｄ）少なくとも１つのフィルタ係数の補正項を生成するステップと
をさらに備えたことを特徴とする請求項６０に記載の方法。
【請求項６３】
前記ステップ（ａ）〜（ｄ）を実行するのに符号分割多重接続（ＣＤＭＡ）受信機が使用され、
（ｅ）前記サンプル・データ・ストリームを２倍のチップレートにおいてサンプリングするステップと、
（ｆ）前記サンプル・データ・ストリームをチップレートにダウンサンプリングするステップと
をさらに備えたことを特徴とする請求項６０に記載の方法。
【請求項６４】
前記フィルタ係数の補正項が、デスプレッドパイロットのシーケンスによって生成されることを特徴とする請求項６２に記載の方法。
【請求項６５】
前記フィルタ係数の補正項が、非デスプレッドパイロットのシーケンスによって生成されることを特徴とする請求項６２に記載の方法。
【請求項６６】
前記フィルタ係数の補正項が、正規化された最小二乗平均（ＮＬＭＳ）のアルゴリズムを使用して生成されることを特徴とする請求項６２に記載の方法。
【請求項６７】
（ｅ）各々それぞれのサンプル・データ・ストリームを長さＬのベクトル信号に変換するステップと、
（ｆ）各々長さＬのベクトル信号をスクランブルコード共役信号と乗算して、それぞれのデスクランブルベクトル信号を生成するステップと、
（ｇ）複数の等化された出力信号を加算して、加算されたイコライザ出力信号を生成するステップと、
（ｈ）前記加算されたイコライザ出力信号を前記スクランブルコード共役信号と乗算して、デスクランブルされ加算されたイコライザ信号を生成するステップと、
（ｉ）パイロット基準信号から前記デスクランブルされ加算されたイコライザ信号を減算して、共通誤差信号を生成するステップと、
（ｊ）前記共通誤差信号およびそれぞれのデスクランブルベクトル信号によって補正項を生成するステップと
をさらに備えたことを特徴とする請求項６２に記載の方法。
【請求項６８】
複数のアンテナから受信される信号を処理する方法であって、
（ａ）前記アンテナのそれぞれの１つにより受信された信号によって、複数のサンプル・データ・ストリームを生成するステップと、
（ｂ）チャネルインパルス応答を推定するステップと、
（ｃ）推定されたチャネルインパルス応答によって前記サンプル・データ・ストリームを処理して、複数の処理された信号を生成するステップと、
（ｄ）前記処理された信号を組み合わせるステップと、
（ｅ）前記組み合わされ処理された信号を処理するステップと
を備えたことを特徴とする方法。
【請求項６９】
前記ステップ（ａ）〜（ｅ）を実行するのに符号分割多重接続（ＣＤＭＡ）受信機が使用され、
（ｆ）前記サンプル・データ・ストリームを２倍のチップレートにおいてサンプリングするステップと
をさらに備えたことを特徴とする請求項６８に記載の方法。
【請求項７０】
ステップ（ｄ）が、前記アンテナにより受信された信号についての複数のマルチパス成分を組み合わせるステップを含むことを特徴とする請求項６８に記載の方法。
【請求項７１】
（ｆ）フィルタ係数を使用して前記組み合わされ処理された信号を処理するステップと、
（ｇ）少なくとも１つのフィルタ係数の補正項を生成するステップと
をさらに備えたことを特徴とする請求項６８に記載の方法。
【請求項７２】
前記ステップ（ａ）〜（ｅ）を実行するのに符号分割多重接続（ＣＤＭＡ）受信機が使用され、
（ｆ）前記サンプル・データ・ストリームを２倍のチップレートにおいてサンプリングするステップと、
（ｇ）前記サンプル・データ・ストリームをチップレートにダウンサンプリングするステップと
をさらに備えたことを特徴とする請求項６８に記載の方法。
【請求項７３】
前記フィルタ係数の補正項が、デスプレッドパイロットのシーケンスによって生成されることを特徴とする請求項７１に記載の方法。
【請求項７４】
前記フィルタ係数の補正項が、非デスプレッドパイロットのシーケンスによって生成されることを特徴とする請求項７１に記載の方法。
【請求項７５】
前記フィルタ係数の補正項が、正規化された最小二乗平均（ＮＬＭＳ）のアルゴリズムを使用して生成されることを特徴とする請求項７１に記載の方法。
【請求項７６】
（ｈ）前記組み合わされ処理された信号を長さＬのベクトル信号に変換するステップと、
（ｉ）Ｓ→Ｐ−ベクトル変換器によって出力された長さのＬベクトル信号にスクランブルコード共役信号を乗算して、デスクランブルベクトル信号を生成すること、
（ｊ）等化された出力信号をスクランブルコード共役信号と乗算して、デスクランブルイコライザ信号を生成するステップと
（ｋ）パイロット基準信号から前記デスクランブルイコライザ信号を減算して、誤差信号を生成するステップと、
（ｌ）前記誤差信号および前記デスクランブルベクトル信号によって補正項を生成するステップと
をさらに備えたことを特徴とする請求項７１に記載の方法。
【発明の詳細な説明】
【技術分野】
【０００１】
本発明は、一般には、受信機のダイバーシチを利用するワイヤレス通信システムに関し、より詳細には、正規化された最小二乗平均（ＮＬＭＳ：normalized least mean square）のチップレベル等化（ＣＬＥ：chip-level equalization）の受信機に対する受信ダイバーシチの技法に関する。
【背景技術】
【０００２】
チップレベルのイコライザは、ワイヤレス送受信ユニット（ＷＴＲＵ：wireless transmit/receive unit）および基地局において使用されるような、先進の受信機システムに適している候補である。ＮＬＭＳをベースにしたＣＬＥの受信機は、Ｒａｋｅ受信機を通じた高速ダウンリンクパケットアクセス（ＨＳＤＰＡ）など、高データレートサービスに対して優れた性能を提供する。典型的なＮＬＭＳの受信機は、イコライザフィルタおよびＮＬＭＳアルゴリズムから成る。通常、イコライザフィルタは、有限インパルス応答（ＦＩＲ）フィルタである。
【０００３】
ＮＬＭＳアルゴリズムは、タップ係数ジェネレータのとおりに使用される。ＮＬＭＳアルゴリズムは、イコライザフィルタにより使用される適切なタップ係数を生成し、および生成したタップ係数をちょうどよく、繰り返し適時に更新する。通常、タップ係数の生成は、タップ係数を生成かつ更新するために、誤差信号計算、ベクトルノルム計算、およびリークの統合（leaky integration）を含む。
【０００４】
ＮＬＭＳ  ＣＬＥは、単一アンテナの受信機に対して十分に立証されているが、受信機のダイバーシチに対するＮＬＭＳアルゴリズムについての拡張は、提供されていない。単純な拡張は、各アンテナに対して１つのＮＬＭＳ  ＣＬＥを供給し、および各々についての結果を組み合わせることであろう。
【発明の開示】
【発明が解決しようとする課題】
【０００５】
しかしながら、上述は、むだに、最適下限（suboptimal）である。
【０００６】
本発明は、受信ダイバーシチを実装するために少なくとも１つのイコライザフィルタおよびタップ係数ジェネレータを含む受信機に関する。イコライザフィルタは、複数のアンテナによって受信された信号から得られた信号を処理する。
【課題を解決するための手段】
【０００７】
一実施形態において、アンテナからのサンプル・データ・ストリームは、１つのサンプル・データ・ストリームにマージされる。マージされたサンプル・データ・ストリームは、単一の拡張されたイコライザフィルタにより処理されることによって、フィルタ係数が、共通の誤り信号に従って調節される。イコライザフィルタにより使用されるフィルタ係数の補正項は、ＮＬＭＳアルゴリズムを使用してタップ係数ジェネレータにより生成される。別の実施形態において、複数のイコライザフィルタが使用されることによって、各々のイコライザは、アンテナのうちの特定の１つからサンプル・データ・ストリームを受信する。さらに別の実施形態において、サンプル・データ・ストリームは、複数の整合フィルタによって、それぞれ推定されたチャネルインパルス応答に基づいて処理された後に組み合わされる。
【０００８】
本発明のより詳細な理解を、例として与えられ、および本明細書における添付図面と共に理解されるべき、以下の説明から得ることができる。
【発明を実施するための最良の形態】
【０００９】
望ましい実施形態を、初めから終わりまで同一の参照符号が同一の要素を表す図面に関して、説明するものである。
【００１０】
本明細書において以後、制限はしないが、用語の「ＷＴＲＵ」は、ユーザ装置（ＵＥ）、移動局、ラップトップ、携帯情報端末（ＰＤＡ）、固定または移動の加入者ユニット、ページャ、またはワイヤレス環境において作動することの性能がある他のあらゆる種類の装置を含む。本明細書において以後参照する場合、制限はしないが、用語「基地局」は、アクセスポイント（ＡＰ）、ノードＢ（Ｎｏｄｅ−Ｂ）、サイトコントローラ、またはワイヤレス環境における他のあらゆる種類のインターフェース装置を含む。
【００１１】
本発明の機能を、集積回路（ＩＣ）に組み入れることが、または多数の連結コンポーネントを含む回路において構成することができる。
【００１２】
本明細書において以後、本発明を、ＮＬＭＳアルゴリズムに関して説明するものである。しかしながら、他のあらゆる適応可能な等化アルゴリズムを使用することができるということを補足されるべきである。
【００１３】
本明細書において以後、本発明を、ＮＬＭＳアルゴリズムに対する、受信機のダイバーシチの方法に関して説明するものである。しかしながら、最小二乗平均（ＬＭＳ）、グリフィスのアルゴリズム、チャネル推定をベースにしたＮＬＭＳ（ＣＥ−ＮＬＭＳ：channel estimation based  ＮＬＭＳ）、および他の反復的または再帰的アルゴリズムなどの、あらゆる種類の適応可能な等化またはフィルタリングを使用することができるということを補足されるべきである。
【００１４】
図１は、本発明の第１の実施形態に係る、構成された例示的なＮＬＭＳ  ＣＬＥ受信機１００のブロック図である。ＮＬＭＳ  ＣＬＥ受信機１００は、共通処理のＮＬＭＳ受信機であり、ＮＬＭＳ受信機は、単一のイコライザフィルタを使用する。ＮＬＭＳ  ＣＬＥ受信機１００は、複数のアンテナ１０２Ａ、１０２Ｂ、複数のサンプラ１０４Ａ、１０４Ｂ、マルチプレクサ１０６、およびＮＬＭＳイコライザ１０８を含む。ＮＬＭＳイコライザ１０８は、イコライザフィルタ１１０およびタップ係数ジェネレータ１１２を含む。
【００１５】
アンテナ１０２Ａ、１０２Ｂにより受信される信号は、それぞれサンプラ１０４Ａ、１０４Ｂに入力され、それぞれのサンプル・データ・ストリーム１０５Ａ、１０５Ｂを生成し、サンプル・データ・ストリーム１０５Ａ、１０５Ｂは、２倍（２×）のチップレートにおいてサンプリングされる。サンプル・データ・ストリーム１０５Ａ、１０５Ｂは、マルチプレクサ１０６によって、単一のサンプル・データ・ストリーム１１４にマージされ、単一のサンプル・データ・ストリーム１１４は、ＮＬＭＳイコライザ１０８のイコライザフィルタ１１０に入力される。サンプルは、各々のサンプル・データ・ストリーム１０５Ａ、１０５Ｂ上、２倍のチップレートにおいて生じるので、サンプルは、サンプル・データ・ストリーム１１４上、４倍（４×）のチップレートにおいて生じるだろう。サンプル・データ・ストリーム１１４上に生じる各々のサンプルは、サンプル・データ・ストリーム１０５Ａか１０５Ｂか何れかから生じた。イコライザフィルタ１０６の実効レートは、４倍（４×）のチップレートである。
【００１６】
図１は、ＮＬＭＳ  ＣＬＥ受信機１００を、２つのアンテナから２倍（２×）のチップレートにおいて受信される信号をサンプリングすることの性能があるとして例示するが、ＮＬＭＳ  ＣＬＥ受信機１００は、あらゆる数のアンテナを含むことができ、およびあらゆる数のアンテナにより受信される信号を、所望のあらゆるレートにおいてサンプリングすることができるということを補足されるべきである。
【００１７】
イコライザフィルタ１１０は、フィルタ係数を有する複数のタップを含む。ＦＩＲフィルタを、イコライザフィルタ１１０として利用することができる。イコライザフィルタ１１０におけるタップ数を、異なる電力遅延プロファイルおよび車両速度についての特定のマルチパスチャネルに対して最適化することができる。タップ係数ジェネレータ１１２は、ベクトル・ノルム・スクェア・エスティメータ（vector norm square estimator）１１６、タップ補正ユニット１１８、乗算器１２０、１２２、１２４、および加算器１２６を含む。
【００１８】
イコライザフィルタ１１０は、イコライザ出力信号１３０を出力し、イコライザ出力信号１３０は、チップレート信号である。イコライザ出力信号１３０は、乗算器１２０によってスクランブルコード共役信号（scrambling code conjugate signal）１３４と乗算され、デスクランブルイコライザ出力信号（descrambled equalizer output signal）１４２を生成する（デスクランブルイコライザ出力信号１４２は、スクランブルされない送信チップの推定である）。デスクランブルイコライザ出力信号１４２は、加算器１２６の第１入力に入力される。イコライザ出力信号１３０は、イコライザＴＤＬ（equalizer tapped delay line）信号１３２およびタップ補正信号１５２に基づいて決定される。
【００１９】
パイロット振幅基準信号１４４を使用して、パイロット基準信号１４８の振幅を変更することにより、イコライザ１０８の平均出力電力を調整する。パイロット基準信号１４８は、乗算器１２２によって生成される。乗算器１２２は、パイロット基準振幅信号１４４を、スケーリングされたパイロット（すなわち、共通パイロットチャネル（ＣＰＩＣＨ））のチャネル化コード１４６により乗算する。パイロット基準信号１４８は、加算器１２６の第２入力に入力される。デスクランブルイコライザ出力信号１４２は、加算器１２６によってパイロット基準信号１４８から減算して、誤差信号１５０が生成され、誤差信号１５０は、タップ補正ユニット１１８の第１入力に入力される。外部信号１３４、１４４、および１４６は、上位レイヤから信号送信された情報に基づいて構成かつ生成される。
【００２０】
イコライザＴＤＬ信号１３２は、乗算器１２４によってスクランブルコード共役信号１３４と乗算され、値Ｘを有するベクトル信号１３６が生成される。値Ｘを有するベクトル信号１３６は、信号１３２のデスクランブル型である。ベクトル信号１３６は、ベクトル・ノルム・スクェア・エスティメータ１１６と、タップ補正ユニット１１８の第２入力とに入力される。ベクトル・ノルム・スクェア・エスティメータ１１６は、‖Ｘ‖2（すなわち、ベクトル信号１３６または同等にイコライザＴＤＬ信号１３２についての値Ｘのノルムの２乗）に等しい値を有する信号１３８を生成する。ベクトル・ノルム・スクェア・エスティメータ１１６は、信号１３８をタップ補正ユニット１１８の第３入力に出力する。信号１３６、１３８、および１５０に基づいて、タップ補正ユニット１１８は、値ｗを有するタップ補正信号１５２を出力し、タップ補正信号１５２がイコライザフィルタ１１０に入力される。
【００２１】
タップ補正信号１５２は、イコライザフィルタ１１０で使用されるタップ値を表す。与えられた時間において、タップ補正信号１５２の次の値ｗが、（リーケージファクタ（leakage factor）によって出来る限り重み付けされる）タップ補正信号１５２の現在の値に、正規化信号（信号１４０により除算された信号１３０）と、誤差信号１５０と、タップ補正ユニット１１８内で定義されるステップサイズパラメータとの積を加えることによって計算される。より詳細な数学的な説明を、以下に与える。
【００２２】
タップ補正信号１５２は、タップ補正ユニット１１８によって、以下のように更新される。  
【００２３】
【数１】
2008519559.tif 000003
【００２４】
ただし、  
【００２５】
【数２】
2008519559.tif 000004
【００２６】
は、イコライザフィルタ１１０に対して定義された重みベクトルであり、  
【００２７】
【数３】
2008519559.tif 000005
【００２８】
は、アンテナ１０２Ａ、１０２Ｂから受信されるサンプルに基づくベクトルであり、μ、α、εは、それぞれ、適合ステップサイズ、タップリーケージ（tap leakage）の制御するように、および零（またはほとんど零）の数による除算を防止するように選択されたパラメータである。εは、零による除算を防ぐのに使用される小さい数である。リーケージパラメータα（アルファ）は、通常、１より大きくない重み付けパラメータである。ステップサイズパラメータμは、誤差についてのスケールファクタである。イコライザフィルタ１１０は、単に、ｗとＸとの内積＜ｗ，Ｘ＞を計算するＦＩＲ構造である。内積の結果は、イコライザ出力信号１３０である。
【００２９】
本発明は、適応イコライザと共に受信ダイバーシチを実装させ、受信機の性能を著しく改善させる。本発明に係る共通イコライザフィルタ係数ベクトル適合スキームを、以下に説明する。
【００３０】
共通重みベクトル  
【００３１】
【数４】
2008519559.tif 000006
【００３２】
を、イコライザフィルタに対して、複数の成分重みベクトルについての単位として定義する。各々の成分重みベクトルは、異なるアンテナによって収集されるデータに対応する。成分ベクトルからの要素のあらゆる順列は、データが共通ＮＬＭＳイコライザに入る順序を順列が適切に反映される限り、共通重みベクトルを含むことができる。これらが数学的に対等であるので、順列を、表記上便利なように選択することができる。例えば、２つのアンテナに対して、共通重みベクトル  
【００３３】
【数５】
2008519559.tif 000007
【００３４】
を、以下のように定義することができる。  
【００３５】
【数６】
2008519559.tif 000008
【００３６】
ただし、（）Tは、転置演算を示す。イコライザフィルタについてのタップの合計数を、Ｌにより示す。  
【００３７】
【数７】
2008519559.tif 000009
【００３８】
は列ベクトルである。
【００３９】
式（２）において選択された表記に対して、共通更新ベクトル  
【００４０】
【数８】
2008519559.tif 000010
【００４１】
に対しての表記を、以下のように定義する。  
【００４２】
【数９】
2008519559.tif 000011
【００４３】
ただし、  
【００４４】
【数１０】
2008519559.tif 000012
【００４５】
は、それぞれ、アンテナ１およびアンテナ２から受信されたサンプルに基づくベクトルである。  
【００４６】
【数１１】
2008519559.tif 000013
【００４７】
は行ベクトルである。
【００４８】
次いで、共通ＮＬＭＳイコライザに対するフィルタ係数の適合を、ＮＬＭＳイコライザに対する通常の方法において処理することができる。例えば、更新された係数ベクトルを、以下のように取得することができる。  
【００４９】
【数１２】
2008519559.tif 000014
【００５０】
ただし、（）Hは、共役転置演算を示し、ｄ［ｎ］は、ＮＬＭＳに対する基準信号であり、およびεは、零による除算を防ぐのに使用される小さい数である。パラメータαは、重み付けパラメータであり、μは、誤差信号のスケールファクタである。μを、車両速度および信号対干渉雑音比（ＳＩＮＲ）に基づいて推定し、および補間して連続的な推定を取得することができる。
【００５１】
パイロット指向ＮＬＭＳに対して、ｄ［ｎ］は、パイロット信号、トレーニング信号、または他の周知のパターン信号、予め定められたデスプレッド要素を有するデスプレッド信号か非デスプレッド（non-despread）信号かの何れかとすることができる。同様に、データ指向ＮＬＭＳに対して、ｄ［ｎ］は、完全デスプレッドデータシンボル、部分デスプレッドデータシンボル、または非デスプレッドデータシンボルとすることができる。タップ補正項  
【００５２】
【数１３】
2008519559.tif 000015
【００５３】
を、以下のように計算する。  
【００５４】
【数１４】
2008519559.tif 000016
ただし、要素ｅn,jointは、共通誤差信号であり、および以下のように基準信号ｄ［ｎ］からイコライザフィルタ出力を減算することによって計算される。  
【００５５】
【数１５】
2008519559.tif 000017
【００５６】
次の反復に対する新しいタップ係数は、タップ補正項  
【００５７】
【数１６】
2008519559.tif 000018
【００５８】
を、先行する反復の（重み付けられた）タップ係数に加算することによって得られる。重み付け機構を、以下のように、定式化されるパラメータα（アルファ）によって特徴付けることができる。  
【００５９】
【数１７】
2008519559.tif 000019
【００６０】
式（４）における共通タップ更新ベクトルは、単に、標準的なＮＬＭＳの式に、  
【００６１】
【数１８】
2008519559.tif 000020
【００６２】
の代わりに共通重みベクトル  
【００６３】
【数１９】
2008519559.tif 000021
【００６４】
を用い、および  
【００６５】
【数２０】
2008519559.tif 000022
【００６６】
の代わりに共通更新ベクトル  
【００６７】
【数２１】
2008519559.tif 000023
【００６８】
を用いることによって得られる。式（４）は、共通イコライザ出力を使用し、および共通イコライザ出力を所望の信号またはパイロット信号から減算して、共通推定誤差を生成する。入力信号に対するベクトルノルムの二乗は、共通ベクトルノルムの二乗である。共通推定誤差は、入力信号の複素共役μおよび入力信号のベクトルノルムの二乗と共に、補正項を生成し、補正項を、反復ｎのタップ重みベクトルに加算し、反復ｎ＋１のタップ重みベクトル、更新されたタップ重みベクトルを生成する。
【００６９】
図２は、本発明の第２の実施形態に係る、構成された例示的なＮＬＭＳ  ＣＬＥ受信機２００のブロック図である。ＮＬＭＳ  ＣＬＥ受信機２００は、複数のイコライザを使用するデスプレッドパイロット指向の共通処理ＮＬＭＳ受信機である。ＮＬＭＳ  ＣＬＥ受信機２００は、複数のアンテナ２０２Ａ、２０２Ｂ、複数のサンプラ２０４Ａ、２０４Ｂ、およびＮＬＭＳイコライザ２０６を含む。ＮＬＭＳイコライザ２０６は、複数のイコライザフィルタ２０８Ａ、２０８Ｂ、およびタップ係数ジェネレータ２１０を含む。アンテナ２０２Ａ、２０２Ｂで受信される信号は、それぞれ、サンプラ２０４Ａ、２０４Ｂに入力され、サンプラ２０４Ａ、２０４Ｂは、それぞれにサンプル・データ・ストリーム２０５Ａ、サンプル・データ・ストリーム２０５Ｂ（Ｘ1，Ｘ2）を生成する。
【００７０】
図２は、ＮＬＭＳ  ＣＬＥ受信機２００を、２つのアンテナから受信された信号を２倍の（２×）チップレートにおいてサンプリングすることの性能があるとして例示するが、ＮＬＭＳ  ＣＬＥ受信機２００は、あらゆる数のアンテナとイコライザフィルタとを含むことができ、およびアンテナにより受信される信号を、所望のあらゆるレートにおいてサンプリングすることができることを理解されるべきである。
【００７１】
サンプラ２０４Ａ、２０４Ｂからのサンプル・データ・ストリーム２０５Ａ、２０５Ｂは、対応するイコライザフィルタ２０８Ａ、２０８Ｂおよびタップ係数ジェネレータ２１０に入力する。サンプル・データ・ストリーム２０５Ａ、２０５Ｂを、イコライザフィルタ２０８Ａ、２０８Ｂにより処理かつダウンサンプリングして（この例において、２によりダウンサンプリングして）、１倍（１×）のチップレートにおいて等化信号２１２Ａ、２１２Ｂを生成する。
【００７２】
タップ係数ジェネレータ２１０は、シリアル−パラレル（Ｓ→Ｐ：serial-to-parallel）−ベクトル変換器２１３Ａ、２１３Ｂ、乗算器２１４Ａ、２１４Ｂ、および２２２、ベクトルアキュムレータ２１６Ａ、２１６Ｂ、補正項ジェネレータ２１８Ａ、２１８Ｂ、加算器２２０および２２６、ならびにチップアキュムレータ２２４を含む。Ｓ→Ｐ−ベクトル変換器２１３Ａ、２１３Ｂは、ＴＤＬと同様であることによって、Ｓ→Ｐ−ベクトル変換器２１３Ａ、２１３Ｂの出力は、図１におけるイコライザフィルタ１１０によって出力される信号を生成するのに使用されるＴＤＬの様相を示す。
【００７３】
２×チップレートのサンプル・データ・ストリーム２０５Ａ、２０５Ｂの各々は、Ｓ→Ｐ−ベクトル変換器２１３Ａ、２１３Ｂによって１×チップレートの長さＬのベクトル信号２３１Ａ、２３１Ｂに変換される。次いで、長さＬのベクトル信号２３１Ａ、２３１Ｂは、それぞれ、乗算器２１４Ａ、２１４Ｂをによってスクランブルコード共役信号２３２（「Ｐ」）と乗算され、乗算器２１４Ａ、２１４Ｂの各々は、デスクランブルベクトル信号２３４Ａ、２３４Ｂをそれぞれのベクトルアキュムレータ２１６Ａ、２１６Ｂに出力し、それぞれの更新ベクトル信号２１７Ａ、２１７Ｂを生成する。ベクトルアキュムレータ２１６Ａ、２１６Ｂは、周期（すなわち、チップアキュムレータ２２４に関しては同一の周期）を通じてデスプレッド処理を実装し、周期は、アンテナ２０２Ａおよび２０２Ｂで受信されるパイロット信号の拡散因子以外とすることができる。更新ベクトル信号２１７Ａ、２１７Ｂは、補正項ジェネレータ２１８Ａ、２１８Ｂに転送される。
【００７４】
等化信号２１２Ａ、２１２Ｂは、加算器２２０により一緒に加算され、加算器２２０は加算等化信号２２１を出力する。次いで、加算等化信号２２１は、乗算器２２２によってスクランブルコード共役信号２３２と乗算され、次いで乗算器２２２は、デスクランブル信号２２３を出力する。デスクランブル信号２２３は、チップアキュムレータ２２４に入力され、チップアキュムレータ２２４は、アンテナ２０２Ａおよび２０２Ｂにより受信されるパイロット信号の拡散因子以外とすることができる周期を通じてデスプレッド処理を実装する。チップアキュムレータ２２４によって出力される蓄積結果信号２２５は、加算器２２６によってパイロット基準信号２３０から減算され、共通誤差信号２２７を生成する。
【００７５】
補正項ジェネレータ２１８Ａ、２１８Ｂの各々は、ベクトル・ノルム・スクェア・エスティメータ（図示しないが、図１に示すブロック１１６と類似する）を含み、更新ベクトル信号２１７Ａ、２１７Ｂのベクトルノルムの二乗を生成し、ならびに更新ベクトル信号２１７Ａ、２１７Ｂ、更新ベクトル信号２１７Ａ、２１７Ｂのベクトルノルムの二乗、および先行する反復のフィルタ係数に加算され次の反復のために更新されたフィルタ係数を生成するイコライザフィルタ２０８Ａ、２０８Ｂに対する共通誤差信号２２７に基づいて補正項２１９Ａ、２１９Ｂを生成する。
【００７６】
補正項ジェネレータ２１８Ａは、補正項  
【００７７】
【数２２】
2008519559.tif 000024
【００７８】
に基づいて補正項２１９Ａを生成することができ、補正項２１９Ａは、イコライザフィルタ２０８Ａにおいて、先行する反復のフィルタ係数に加算され、次の反復に対して更新されたフィルタ係数を生成する。同様に、補正項ジェネレータ２１８Ｂは、補正項  
【００７９】
【数２３】
2008519559.tif 000025
【００８０】
に基づいて補正項２１９Ｂを生成することができ、補正項２１９Ｂは、イコライザフィルタ２０８Ｂにおいて、先行する反復のフィルタ係数に加算され、次の反復に対して更新されたフィルタ係数を生成する。
【００８１】
あるいはまた、補正項ジェネレータ２１８Ａは、補正項  
【００８２】
【数２４】
2008519559.tif 000026
【００８３】
に基づいて補正項２１９Ａを生成することができ、および補正項ジェネレータ２１８Ｂは、補正項  
【００８４】
【数２５】
2008519559.tif 000027
【００８５】
に基づいて補正項２１９Ｂを生成することができる。変数ηは、補正項が生成される場合に、数値特性を改善し、および固定小数点計算をオーバーフローから防ぐのに使用される比較的小さい数である。
【００８６】
図３は、図２のＮＬＭＳ  ＣＬＥ受信機２００についての簡略型のブロック図である。ＮＬＭＳ  ＣＬＥ受信機３００は、複数のイコライザを使用する非デスプレッドパイロット指向の共通処理のＮＬＭＳ受信機である。ＮＬＭＳ  ＣＬＥ受信機３００は、複数のアンテナ３０２Ａ、３０２Ｂ、複数のサンプラ３０４Ａ、３０４Ｂ、およびＮＬＭＳイコライザ３０６を含む。ＮＬＭＳイコライザ３０６は、複数のイコライザフィルタ３０８Ａ、３０８Ｂおよびタップ係数ジェネレータ３１０を含む。アンテナ３０２Ａ、３０２Ｂによって受信される信号は、それぞれサンプラ３０４Ａ、３０４Ｂに入力され、サンプラ３０４Ａ、３０４Ｂは、それぞれのサンプル・データ・ストリーム３０５Ａ、３０５Ｂを生成する。
【００８７】
図３はＮＬＭＳ  ＣＬＥ受信機３００が２倍（２×）チップレートにおいて２つのアンテナから受信される信号をサンプリングすることの性能があるとして例示するが、ＮＬＭＳ  ＣＬＥ受信機３００は、あらゆる数のアンテナとイコライザフィルタとを含むことができ、およびアンテナにより受信される信号を所望のあらゆるレートにおいてサンプリングすることができることを理解されるべきである。
【００８８】
図３のＮＬＭＳ  ＣＬＥ受信機３００は、入力サンプル・データ・ストリームおよびフィルタ係数からの出力が蓄積されないことを除いて、図２において示すＮＬＭＳ  ＣＬＥ受信機２００と類似する。
【００８９】
サンプラ３０４Ａ、３０４Ｂからのサンプル・データ・ストリーム３０５Ａ、３０５Ｂは、対応するイコライザフィルタ３０８Ａ、３０８Ｂ、およびタップ係数ジェネレータ３１０に入力される。サンプル・データ・ストリーム３０５Ａ、３０５Ｂは、イコライザフィルタ３０８Ａ、３０８Ｂにより処理かつダウンサンプリングされ（この例において、２によりダウンサンプリングされ）、１倍（１×）のチップレートにおいて等化信号３１２Ａ、３１２Ｂを生成する。
【００９０】
タップ係数ジェネレータ３１０は、Ｓ→Ｐ−ベクトル変換器３１３Ａ、３１３Ｂ、乗算器３１４Ａ、３１４Ｂ、３２２、補正項ジェネレータ３１８Ａ、３１８Ｂ、および加算器３２０、３２６を含む。サンプル・データ・ストリーム３０５Ａ、３０５Ｂの各々は、Ｓ→Ｐ−ベクトル変換器３１３Ａ、３１３Ｂによって長さＬのベクトル信号３３１Ａ、３３１Ｂに変換され、Ｓ→Ｐ−ベクトル変換器３１３Ａ、３１３Ｂは、アンテナ３０２Ａおよび３０２Ｂにより受信されるパイロット信号の拡散因子以外とすることができる周期を通じてデスプレッド処理を実装する。次いで、長さＬのベクトル信号３３１Ａ、３３１Ｂは、それぞれ、乗算器３１４Ａ、３１４Ｂによってスクランブルコード共役信号３３２（「Ｐ」）と乗算され、デスクランブルベクトル信号３３４Ａ、３３４Ｂを生成する。デスクランブルベクトル信号３３４Ａ、３３４Ｂは、それぞれ、補正項ジェネレータ３１８Ａ、３１８Ｂに転送される。
【００９１】
等化信号３１２Ａ、３１２Ｂは、加算器３２０により一緒に加算され、加算器３２０は、加算等化信号３２１を出力する。次いで、加算等化信号３２１は、乗算器３２２によってスクランブルコード共役信号３３２（「Ｐ」）と乗算され、次いで乗算器３２２は、デスクランブル信号３２３を出力する。デスクランブル信号３２３は、加算器３２６によって基準パイロット（例えば、スケーリングされたパイロット）信号３２５から減算され、共通誤差信号３２７を生成する。
【００９２】
補正項ジェネレータ３１８Ａ、３１８Ｂは、上述において説明した補正項ジェネレータ３１８Ａ、３１８Ｂと類似する。補正項ジェネレータ３１８Ａ、３１８Ｂの各々は、ベクトル・ノルム・スクェア・エスティメータ（図示しないが、図１に示すブロック１１６に類似する）を含み、デスクランブルベクトル信号３３４Ａ、３３４Ｂのベクトルノルムの二乗を生成し、ならびにデスクランブルベクトル３１７Ａ、３１７Ｂ、デスクランブルベクトル信号３３４Ａ、３３４Ｂのベクトルノルムの二乗のベクトルノルムの二乗、および先行する反復のフィルタ係数に加算され次の反復のための更新されたフィルタ係数を生成するイコライザフィルタ３０８Ａ、３０８Ｂに対する共通誤差信号３２７に基づいて補正項３１９Ａ、３１９Ｂを生成する。
【００９３】
ＮＬＭＳ  ＣＬＥ受信機２００および３００で使用される、更新されたフィルタ係数の生成は、以下の通りである。  
【００９４】
【数２６】
2008519559.tif 000028
【００９５】
ただし、ｅn,jointは、２つのアンテナの共通処理の結果として生じる共通推定誤差であり、および以下のように定義する。  
【００９６】
【数２７】
2008519559.tif 000029
【００９７】
ダイバーシチ受信機は、各々の受信アンテナに対して独立に、以下のようなＮＬＭＳ等化を実装する。  
【００９８】
【数２８】
2008519559.tif 000030
【００９９】
ただし、  
【０１００】
【数２９】
2008519559.tif 000031
【０１０１】
および  
【０１０２】
【数３０】
2008519559.tif 000032
【０１０３】
は、反復ｎにおいて、それぞれ、受信アンテナｉに対応するＮＬＭＳイコライザｉのタップ重みベクトルおよび入力更新ベクトルである。イコライザｉは、イコライザｉ自体の誤差信号を生成し、およびタップ重みベクトルを独立に更新する。イコライザ出力がデスプレッドされかつ組み合わされる。パイロット指向方法に対して、複数のアンテナのデスプレッドデータがソフト結合され、強化性能のための最終出力が生成される。データ指向方法に対して、複数のアンテナについてのデスプレッドデータがソフト結合されることによって、硬判定（hard decision）のための最終出力が生成され、および生じるハード信号が基準信号として使用される。
【０１０４】
式（１０）のタップ補正項  
【０１０５】
【数３１】
2008519559.tif 000033
【０１０６】
が以下のように計算される場合、別の変形を、得ることができる。  
【０１０７】
【数３２】
2008519559.tif 000034
【０１０８】
図４は、本発明の第３の実施形態に係る、構成された例示的なＮＬＭＳ  ＣＬＥ受信機４００のブロック図である。ＮＬＭＳ  ＣＬＥ受信機４００は、ダイバーシチアンテナから受信される信号についての予等化（pre-equalization）の組合せを使用する。ＮＬＭＳ  ＣＬＥ受信機４００は、複数のアンテナ４０２Ａ、４０２Ｂ、複数のサンプラ４０３Ａ、４０３Ｂ、複数の整合フィルタ（ＭＦ）４０４Ａ、４０４Ｂ、複数のチャネル推定器４０５Ａ、４０５Ｂ、コンバイナ４０６、およびＮＬＭＳイコライザ４０８を含む。ＮＬＭＳイコライザ４０８は、イコライザフィルタ４１０およびタップ係数ジェネレータ４１２を含む。
【０１０９】
信号は、アンテナ４０２により受信され、およびサンプル・データ・ストリームは、受信された信号からサンプラ４０３によって生成される。一例のように、図４は、２つのアンテナおよび２×チップレートにおけるサンプリングを例示する。しかしながら、受信機４００があらゆる数のアンテナを含むことができ、およびサンプルをあらゆるレートにおいて生成することができることは、補足されるべきである。サンプルは、チャネル推定器４０５を含めた整合フィルタ４０４によって処理され、およびコンバイナ４０６によって組み合わされ、組合せサンプル・データ・ストリーム４０７を生成する。コンバイナ４０６は、重み付けを用いた、または重み付けを用いない単純な加算器とすることができる。あるいはまた、整合フィルタをコンバイナ４０６として使用して、ダイバーシチ信号組合せを実行することができる。組合せサンプル・データ・ストリーム４０７は、サンプリングレートと同じレートのままである。
【０１１０】
次いで、組合せサンプル・データ・ストリーム４０７は、イコライザフィルタ４０８およびタップ係数ジェネレータ４１０に入力される。２つのアンテナが使用されると仮定すると、組合せ信号を、以下のように表すことができる。  
【０１１１】
【数３３】
2008519559.tif 000035
【０１１２】
ただし、Ｈiは受信アンテナｉに対応する推定チャネル応答行列であり、ここで、２つのアンテナを有する例示的なＮＬＭＳ  ＣＬＥ受信機４００に対して、ｉ＝１，２である。ベクトル  
【０１１３】
【数３４】
2008519559.tif 000036
【０１１４】
は、反復ｎにおける受信ダイバーシチ組み合わせ後の組合せ信号ベクトルである。
【０１１５】
ダイバーシチ組合せが実行された後、組合せサンプル・データ・ストリーム４０７は、生成されて、イコライザフィルタ４１０に転送されて、等化を実行するように処理されることによって、シンボル間干渉（ＩＳＩ：inter-symbol interference）および多重アクセス干渉（ＭＡＩ：multiple access interference）などの干渉を緩和する。この例において、イコライザフィルタ４１０は、２倍（２×）のチップレートにおいて実行しており、および処理された結果は、２によりダウンサンプリングされて、チップレート出力を生成し、次いでチップレート出力は、スクランブル・コード・シーケンスによりデスクランブルされる。
【０１１６】
ＮＬＭＳを、以下のようにタップ重みベクトル更新に関して記述することができる。  
【０１１７】
【数３５】
2008519559.tif 000037
【０１１８】
ただし、  
【０１１９】
【数３６】
2008519559.tif 000038
【０１２０】
は、組合せ受信信号を等化するタップ重みベクトルであり、およびｄ［ｎ］は、時刻ｎにおける基準信号である。
【０１２１】
タップ係数ジェネレータ４１２は、乗算器４１１、４２０、チップアキュムレータ４１３、加算器４１４、補正項ジェネレータ４１７、ベクトルアキュムレータ４２２、乗算器４２０、およびＳ→Ｐ−ベクトル変換器４１８を含む。イコライザフィルタ４１０からの出力は、乗算器４１１によってデスクランブリングされる。乗算器４１１の出力は、チップアキュムレータ４１３によって蓄積され、チップアキュムレータ４１３は、アンテナ４０２Ａおよび４０２Ｂにより受信されるパイロット信号の拡散因子以外とすることができる周期を通じてデスプレッド処理を実装する。チップアキュムレータ４１３によって出力された蓄積結果は、加算器４１４によってパイロット基準信号４１５から減算され、共通誤差信号４１６を生成する。
【０１２２】
組合せデータ・サンプル・ストリーム４０７は、Ｓ→Ｐ−ベクトル変換器４１８によって長さＬのベクトルに変換され、および乗算器４２０によってデスクランブリングされる。デスクランブルされた入力ベクトルは、ベクトルアキュムレータ４２２によって蓄積され、更新ベクトル４２３を生成する。ベクトルアキュムレータ４２２は、周期（すなわち、チップアキュムレータ４１３に関して同一の周期）を通じてデスプレッド処理を実装し、周期は、アンテナ４０２Ａおよび４０２Ｂにより受信されるパイロット信号の拡散因子以外とすることができる。更新ベクトル４２３は、補正項ジェネレータ４１７に転送される。補正項ジェネレータ４１７は、先行する反復のフィルタ係数に加算され、次の反復のための更新されたフィルタ係数を生成するイコライザフィルタ４１０に対して、補正項４２５を生成する。
【０１２３】
補正項ジェネレータ４１７によって生成される補正項は、正規化信号（信号４２３のノルムにより除算された信号４２３）と、誤差信号４１６と、補正項ジェネレータ４１７内において定義されたステップ・サイズ・パラメータ（ミュー）との積である。新しいフィルタ値は、補正項を、先行するフィルタ値に加算することによって生成される。フィルタ出力は、フィルタ値とＴＤＬ状態ベクトルとの内積である。
【０１２４】
補正項ジェネレータ４１７は、補正項  
【０１２５】
【数３７】
2008519559.tif 000039
【０１２６】
に基づいて補正項４２５を生成することができ、補正項４２５は、イコライザフィルタ４１０において、先行する反復のフィルタ係数に加算され、次の反復のために更新されたフィルタ係数を生成する。あるいはまた、補正項ジェネレータ４１７は、補正項  
【０１２７】
【数３８】
2008519559.tif 000040
【０１２８】
に基づいて補正項４２５を生成することができる。
【０１２９】
図４において示す第３の実施形態についての上述の説明は、デスプレッドパイロット指向受信機に関する。あるいはまた、受信機は、図３において示すように非デスプレッドパイロット指向とすることができる。そのような場合、更新ベクトルを生成するためのデスクランブルサンプルおよび受信されたサンプルストリームの蓄積を実行する必要がない。
【０１３０】
本発明の機能および要素を、特定の組合せにおいて説明したが、各々の機能または要素を、望ましい実施形態の他の機能および要素なしに単独において、または本発明の他の機能および要素の有無に関わらず種々の組合せにおいて使用することができる。
【０１３１】
本発明を望ましい実施形態に関して説明しているが、本発明の範囲内にある他の変形は、当事業者に対して明らかであろう。
【図面の簡単な説明】
【０１３２】
【図１】本発明の第１の実施形態に係る、構成された例示的なＮＬＭＳ  ＣＬＥ受信機のブロック図である。
【図２】本発明の第２の実施形態に係る、構成された例示的なＮＬＭＳ  ＣＬＥ受信機のブロック図である。
【図３】図２のＮＬＭＳ  ＣＬＥ受信機の簡略型についてのブロック図である。
【図４】本発明の第３の実施形態に係る、構成された例示的なＮＬＭＳ  ＣＬＥ受信機のブロック図である。
【図１】
2008519559.tif 000041
【図２】
2008519559.tif 000042
【図３】
2008519559.tif 000043
【図４】
2008519559.tif 000044
【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
信号を受信する複数のアンテナと、
該アンテナのそれぞれの１つに連結され、複数のサンプル・データ・ストリームを生成する複数のサンプラであって、前記アンテナのそれぞれの１つにより受信される信号によってそれぞれのサンプル・データ・ストリームを生成するサンプラと、
前記サンプラによって生成されたサンプル・データ・ストリームを１つのマージされたサンプル・データ・ストリームにマージするマルチプレクサと、
前記マージされたサンプル・データ・ストリームを処理するイコライザであって、
（１）前記マージされたサンプルストリームをフィルタ係数により処理するイコライザフィルタ、および、
（２）前記イコライザフィルタにより使用される少なくとも１つのフィルタ係数の補正項を生成するタップ係数ジェネレータであって、
（ａ）前記イコライザフィルタの第１出力に連結され、前記イコライザフィルタの第１出力からイコライザ出力信号を受信し、前記イコライザ出力信号をスクランブルコード共役信号と乗算して、デスクランブルイコライザ出力信号を生成するよう構成された第１乗算器と、
（ｂ）前記イコライザフィルタの第２出力に連結され、前記イコライザフィルタの第２出力からイコライザＴＤＬ信号を受信し、前記イコライザＴＤＬ信号をスクランブルコード共役信号と乗算して、値Ｘを有するベクトル信号を生成するよう構成された第２乗算器と、
（ｃ）パイロット基準信号から前記第１デスクランブル信号を減算して誤差信号を生成する加算器と、
（ｄ）ベクトル信号を受信し、‖Ｘ‖２に等しい値を有する信号を生成するベクトル・ノルム・スクェア・エスティメータと、
（ｅ）前記イコライザフィルタにより使用されるタップ値を表すベクトル信号を生成して、前記イコライザ出力信号および前記イコライザＴＤＬ信号を生成するタップ補正ユニットとを有するタップ係数ジェネレータを含むイコライザと
を備えたことを特徴とする受信機。
【請求項２】
前記受信機は、前記サンプル・データ・ストリームがそれぞれのサンプラによって２倍のチップレートにおいてサンプリングされ、および前記マージされたサンプル・データ・ストリームが前記イコライザによって４倍の前記チップレートにおいて処理される符号分割多重接続（ＣＤＭＡ）受信機であることを特徴とする請求項１に記載の受信機。
【請求項３】
前記フィルタ係数の補正項が、デスプレッドパイロットのシーケンスにより生成されることを特徴とする請求項１に記載の受信機。
【請求項４】
前記フィルタ係数の補正項が、非デスプレッドパイロットのシーケンスにより生成されることを特徴とする請求項１に記載の受信機。
【請求項５】
前記フィルタ係数の補正項が、正規化された最小二乗平均（ＮＬＭＳ）のアルゴリズムを使用して前記タップ係数ジェネレータにより生成されることを特徴とする請求項１に記載の受信機。
【請求項６】
信号を受信する複数のアンテナと、
該アンテナのそれぞれの１つに連結され、複数のサンプル・データ・ストリームを生成する複数のサンプラであって、前記アンテナのそれぞれの１つにより受信された信号によってそれぞれのサンプル・データ・ストリームを生成するサンプラと、
前記サンプル・データ・ストリームを処理するイコライザであって、
（１）前記サンプラのそれぞれの１つに連結され、フィルタ係数を使用して前記サンプル・データ・ストリームを処理する複数のイコライザフィルタ、および、
（２）前記イコライザフィルタにより使用される少なくとも１つのフィルタ係数の補正項を生成するタップ係数ジェネレータであって、
（ａ）前記サンプラおよびイコライザフィルタのそれぞれの１つに連結され、それぞれのサンプル・データ・ストリームを長さＬのベクトル信号に変換する複数のシリアル−パラレル（Ｓ→Ｐ）−ベクトル変換器と、
（ｂ）Ｓ→Ｐ−ベクトル変換器のそれぞれの１つに連結され、それぞれのＳ→Ｐ−ベクトル変換器によって出力された長さＬのベクトル信号をスクランブルコード共役信号と乗算して、デスクランブルベクトル信号を生成する複数のベクトルデスクランブル乗算器と、
（ｃ）前記イコライザフィルタの各々に連結され、前記イコライザフィルタの各々によって生成された等化された出力信号を加算して、加算されたイコライザ出力信号を生成する第１加算器と、
（ｄ）前記第１加算器に連結され、前記加算されたイコライザ出力信号を前記スクランブルコード共役信号と乗算して、デスクランブルされ加算されたイコライザ信号を生成するイコライザ出力乗算器と、
（ｅ）パイロット基準信号から前記デスクランブルされ加算されたイコライザ信号を減算して、共通誤差信号を生成する第２加算器と、
（ｆ）前記加算器、前記ベクトルデスクランブル乗算器のそれぞれの１つおよび前記イコライザフィルタのそれぞれの１つに連結され、前記共通誤差信号およびそれぞれのベクトルデスクランブル乗算器により生成されるそれぞれのデスクランブルベクトル信号によって前記イコライザフィルタのそれぞれの１つにより使用される補正項を出力する複数の補正項ジェネレータとを有するタップ係数ジェネレータを含むイコライザと
を備えたことを特徴とする受信機。
【請求項７】
前記受信機は、前記サンプル・データ・ストリームがそれぞれのサンプラによって２倍のチップレートにおいてサンプリングされる符号分割多重接続（ＣＤＭＡ）受信機であることを特徴とする請求項６に記載の受信機。
【請求項８】
前記受信機は、前記サンプル・データ・ストリームがそれぞれのサンプラによって２倍のチップレートにおいてサンプリングされ、および前記それぞれのイコライザフィルタによってチップレートにダウンサンプリングされる符号分割多重接続（ＣＤＭＡ）受信機であることを特徴とする請求項６に記載の受信機。
【請求項９】
前記フィルタ係数の補正項が、デスプレッドパイロットのシーケンスにより生成されることを特徴とする請求項６に記載の受信機。
【請求項１０】
前記フィルタ係数の補正項が、非デスプレッドパイロットのシーケンスにより生成されることを特徴とする請求項６に記載の受信機。
【請求項１１】
前記フィルタ係数の補正項が、正規化された最小二乗平均（ＮＬＭＳ）のアルゴリズムを使用して前記タップ係数ジェネレータにより生成されることを特徴とする請求項６に記載の受信機。
【請求項１２】
前記タップ係数ジェネレータは、
前記ベクトルデスクランブル乗算器のそれぞれの１つと前記補正項ジェネレータのそれぞれの１つとの間に連結された複数のベクトルアキュムレータと、
前記イコライザ出力乗算器と前記第２加算器との間に連結されたチップアキュムレータと
をさらに有することを特徴とする請求項６に記載の受信機。
【請求項１３】
信号を受信する複数のアンテナと、
該アンテナのそれぞれの１つに連結され、複数のサンプル・データ・ストリームを生成する複数のサンプラであって、前記アンテナのそれぞれの１つにより受信された信号によってそれぞれのサンプル・データ・ストリームを生成するサンプラと、
チャネルインパルス応答を推定する複数のチャネル推定器と、
前記サンプラのそれぞれの１つに連結され、前記推定されたチャネルインパルス応答により前記サンプル・データ・ストリームを処理する複数の整合フィルタ（ＭＦ）と、
前記ＭＦからの出力を組み合わせるコンバイナと、
前記組み合わされたＭＦの出力を処理するイコライザであって、
（１）フィルタ係数を使用して前記組み合わされたＭＦの出力を処理するイコライザフィルタ、および、
（２）前記イコライザフィルタにより使用される少なくとも１つのフィルタ係数の補正項を生成するタップ係数ジェネレータであって、
（ａ）前記コンバイナおよび前記イコライザフィルタに連結され、前記組み合わされたＭＦの出力を長さＬのベクトル信号に変換するシリアル−パラレル（Ｓ→Ｐ）−ベクトル変換器と、
（ｂ）前記Ｓ→Ｐ−ベクトル変換器に連結され、前記Ｓ→Ｐ−ベクトル変換器によって出力された長さＬのベクトル信号をスクランブルコード共役信号と乗算して、デスクランブルベクトル信号を生成するベクトルデスクランブル乗算器と、
（ｃ）前記イコライザフィルタに連結され、前記イコライザフィルタにより生成されたイコライザ出力信号をスクランブルコード共役信号と乗算して、デスクランブルイコライザ信号を生成するイコライザ出力乗算器と、
（ｄ）パイロット基準信号から前記デスクランブルイコライザ信号を減算して誤差信号を生成する加算器と、
（ｅ）前記加算器、前記ベクトルデスクランブル乗算器および前記イコライザフィルタに連結され、前記誤差信号および前記ベクトルデスクランブル乗算器により生成されたデスクランブルベクトル信号によって前記イコライザフィルタにより使用される補正項を出力する補正項ジェネレータとを有するタップ係数ジェネレータを含むイコライザと
を備えたことを特徴とする受信機。
【請求項１４】
前記受信機は、前記サンプル・データ・ストリームがそれぞれのサンプラによって２倍のチップレートにおいてサンプリングされる符号分割多重接続（ＣＤＭＡ）受信機であることを特徴とする請求項１３に記載の受信機。
【請求項１５】
前記コンバイナは、前記アンテナにより受信される信号の複数のマルチパス成分を組み合わせることを特徴とする請求項１３に記載の受信機。
【請求項１６】
前記受信機は、前記サンプル・データ・ストリームがそれぞれのサンプラによって２倍のチップレートにおいてサンプリングされ、および前記イコライザフィルタによってチップレートにダウンサンプリングされる符号分割多重接続（ＣＤＭＡ）受信機であることを特徴とする請求項１３に記載の受信機。
【請求項１７】
前記フィルタ係数の補正項が、デスプレッドパイロットのシーケンスにより生成されることを特徴とする請求項１３に記載の受信機。
【請求項１８】
前記フィルタ係数の補正項が、非デスプレッドパイロットのシーケンスにより生成されることを特徴とする請求項１３に記載の受信機。
【請求項１９】
前記フィルタ係数の補正項が、正規化された最小二乗平均（ＮＬＭＳ）のアルゴリズムを使用して前記タップ係数ジェネレータにより生成されることを特徴とする請求項１３に記載の受信機。
【請求項２０】
前記タップ係数ジェネレータは、
前記ベクトルデスクランブル乗算器と前記補正項ジェネレータとの間に連結されたベクトルアキュムレータと、
前記イコライザ出力乗算器と前記加算器との間に連結されたチップアキュムレータと
をさらに有することを特徴とする請求項１３に記載の受信機。
【請求項２１】
信号を受信する複数のアンテナを有する受信機と共に使用される集積回路（ＩＣ）であって、
前記アンテナのそれぞれの１つに連結され、複数のサンプル・データ・ストリームを生成する複数のサンプラであって、前記アンテナのそれぞれの１つにより受信された信号によってそれぞれのサンプル・データ・ストリームを生成するサンプラと、
前記サンプラによって生成されたサンプル・データ・ストリームを１つのマージされたサンプル・データ・ストリームにマージするマルチプレクサと、
前記マージされたサンプル・データ・ストリームを処理するイコライザであって、
（１）前記マージされたサンプルストリームをフィルタ係数により処理するイコライザフィルタ、および、
（２）前記イコライザフィルタにより使用される少なくとも１つのフィルタ係数の補正項を生成するタップ係数ジェネレータであって、
（ａ）前記イコライザフィルタの第１出力に連結され、前記イコライザフィルタの第１出力からイコライザ出力信号を受信し、前記イコライザ出力信号をスクランブルコード共役信号と乗算して、デスクランブルイコライザ出力信号を生成するよう構成された第１乗算器と、
（ｂ）前記イコライザフィルタの第２出力に連結され、前記イコライザフィルタの第２出力からイコライザＴＤＬ信号を受信し、前記イコライザＴＤＬ信号をスクランブルコード共役信号と乗算して、値Ｘを有するベクトル信号を生成するよう構成された第２乗算器と、
（ｃ）パイロット基準信号から前記第１デスクランブル信号を減算して誤差信号を生成する加算器と、
（ｄ）ベクトル信号を受信し、‖Ｘ‖２に等しい値を有する信号を生成するベクトル・ノルム・スクェア・エスティメータと、
（ｅ）前記イコライザフィルタにより使用されるタップ値を表すベクトル信号を生成して、前記イコライザ出力信号および前記イコライザＴＤＬ信号を生成するタップ補正ユニットとを有するタップ係数ジェネレータを含むイコライザと
を備えたことを特徴とするＩＣ。
【請求項２２】
前記受信機が符号分割多重接続（ＣＤＭＡ）受信機であり、前記サンプル・データ・ストリームがそれぞれのサンプラによって２倍のチップレートにおいてサンプリングされ、および前記マージされたサンプル・データ・ストリームが前記イコライザによって４倍の前記チップレートにおいて処理されることを特徴とする請求項２１に記載のＩＣ。
【請求項２３】
前記フィルタ係数の補正項が、デスプレッドパイロットのシーケンスにより生成されることを特徴とする請求項２１に記載のＩＣ。
【請求項２４】
前記フィルタ係数の補正項が、非デスプレッドパイロットのシーケンスにより生成されることを特徴とする請求項２１に記載のＩＣ。
【請求項２５】
前記フィルタ係数の補正項が、正規化された最小二乗平均（ＮＬＭＳ）のアルゴリズムを使用して前記タップ係数ジェネレータにより生成されることを特徴とする請求項２１に記載のＩＣ。
【請求項２６】
信号を受信する複数のアンテナを有する受信機と共に使用される集積回路（ＩＣ）であって、
前記アンテナのそれぞれの１つに連結され、複数のサンプル・データ・ストリームを生成する複数のサンプラであって、前記アンテナのそれぞれの１つにより受信された信号によってそれぞれのサンプル・データ・ストリームを生成するサンプラと、
前記サンプル・データ・ストリームを処理するイコライザであって、
（１）前記サンプラのそれぞれの１つに連結され、フィルタ係数を使用して前記サンプル・データ・ストリームを処理する複数のイコライザフィルタ、および、
（２）前記イコライザフィルタにより使用される少なくとも１つのフィルタ係数の補正項を生成するタップ係数ジェネレータであって、
（ａ）前記サンプラおよびイコライザフィルタのそれぞれの１つに連結され、それぞれのサンプル・データ・ストリームを長さＬのベクトル信号に変換する複数のシリアル−パラレル（Ｓ→Ｐ）−ベクトル変換器と、
（ｂ）Ｓ→Ｐ−ベクトル変換器のそれぞれの１つに連結され、それぞれのＳ→Ｐ−ベクトル変換器によって出力された長さＬのベクトル信号をスクランブルコード共役信号と乗算して、デスクランブルベクトル信号を生成する複数のベクトルデスクランブル乗算器と、
（ｃ）前記イコライザフィルタの各々に連結され、前記イコライザフィルタの各々によって生成された等化された出力信号を加算して、加算されたイコライザ出力信号を生成する第１加算器と、
（ｄ）前記第１加算器に連結され、前記加算されたイコライザ出力信号を前記スクランブルコード共役信号と乗算して、デスクランブルされ加算されたイコライザ信号を生成するイコライザ出力乗算器と、
（ｅ）パイロット基準信号から前記デスクランブルされ加算されたイコライザ信号を減算して、共通誤差信号を生成する第２加算器と、
（ｆ）前記加算器、前記ベクトルデスクランブル乗算器のそれぞれの１つおよび前記イコライザフィルタのそれぞれの１つに連結される前記共通誤差信号およびそれぞれのベクトルデスクランブル乗算器により生成されるそれぞれのデスクランブルベクトル信号によって前記イコライザフィルタのそれぞれの１つにより使用される補正項を出力する複数の補正項ジェネレータとを有するタップ係数ジェネレータを含むイコライザと
を備えたことを特徴とするＩＣ。
【請求項２７】
前記受信機が符号分割多重接続（ＣＤＭＡ）受信機であり、および前記サンプル・データ・ストリームがそれぞれのサンプラによって２倍のチップレートにおいてサンプリングされることを特徴とする請求項２６に記載のＩＣ。
【請求項２８】
前記受信機が符号分割多重接続（ＣＤＭＡ）受信機であり、および前記サンプル・データ・ストリームがそれぞれのサンプラによって２倍のチップレートにおいてサンプリングされて、前記それぞれのイコライザフィルタによってチップレートにダウンサンプリングされることを特徴とする請求項２６に記載のＩＣ。
【請求項２９】
前記フィルタ係数の補正項が、デスプレッドパイロットのシーケンスにより生成されることを特徴とする請求項２６に記載のＩＣ。
【請求項３０】
前記フィルタ係数の補正項が、非デスプレッドパイロットのシーケンスにより生成されることを特徴とする請求項２６に記載のＩＣ。
【請求項３１】
前記フィルタ係数の補正項が、正規化された最小二乗平均（ＮＬＭＳ）のアルゴリズムを使用して前記タップ係数ジェネレータにより生成されることを特徴とする請求項２６に記載のＩＣ。
【請求項３２】
前記タップ係数ジェネレータは、
前記ベクトルデスクランブル乗算器のそれぞれの１つと前記補正項ジェネレータのそれぞれの１つとの間に連結された複数のベクトルアキュムレータと、
前記イコライザ出力乗算器と前記第２加算器との間に連結されたチップアキュムレータと
をさらに有することを特徴とする請求項２６に記載のＩＣ。
【請求項３３】
信号を受信する複数のアンテナを有する受信機と共に使用される集積回路（ＩＣ）であって、
前記アンテナのそれぞれの１つに連結され、複数のサンプル・データ・ストリームを生成する複数のサンプラであって、前記アンテナのそれぞれの１つにより受信された信号によってそれぞれのサンプル・データ・ストリームを生成するサンプラと、
チャネルインパルス応答を推定する複数のチャネル推定器と、
前記サンプラのそれぞれの１つに連結され、前記推定されたチャネルインパルス応答により前記サンプル・データ・ストリームを処理する複数の整合フィルタ（ＭＦ）と、
前記ＭＦからの出力を組み合わせるコンバイナと、
前記組み合わされたＭＦの出力を処理するイコライザであって、
（１）フィルタ係数を使用して前記組み合わされたＭＦの出力を処理するイコライザフィルタ、および、
（２）前記イコライザフィルタにより使用される少なくとも１つのフィルタ係数の補正項を生成するタップ係数ジェネレータであって、
（ａ）前記コンバイナおよび前記イコライザフィルタに連結され、前記組み合わされたＭＦの出力を長さＬのベクトル信号に変換するシリアル−パラレル（Ｓ→Ｐ）−ベクトル変換器と、
（ｂ）前記Ｓ→Ｐ−ベクトル変換器に連結され、前記Ｓ→Ｐ−ベクトル変換器によって出力された長さＬのベクトル信号をスクランブルコード共役信号と乗算して、デスクランブルベクトル信号を生成するベクトルデスクランブル乗算器と、
（ｃ）前記イコライザフィルタに連結され、前記イコライザフィルタにより生成されたイコライザ出力信号をスクランブルコード共役信号と乗算して、デスクランブルイコライザ信号を生成するイコライザ出力乗算器と、
（ｄ）パイロット基準信号から前記デスクランブルイコライザ信号を減算して誤差信号を生成する加算器と、
（ｅ）前記加算器、前記ベクトルデスクランブル乗算器および前記イコライザフィルタに連結され、前記誤差信号および前記ベクトルデスクランブル乗算器により生成されたデスクランブルベクトル信号によって前記イコライザフィルタにより使用される補正項を出力する補正項ジェネレータとを有するタップ係数ジェネレータを含むイコライザと
を備えたことを特徴とするＩＣ。
【請求項３４】
前記受信機が符号分割多重接続（ＣＤＭＡ）受信機であり、および前記サンプル・データ・ストリームがそれぞれのサンプラによって２倍のチップレートにおいてサンプリングされることを特徴とする請求項３３に記載のＩＣ。
【請求項３５】
前記コンバイナは、前記アンテナにより受信される信号の複数のマルチパス成分を組み合わせることを特徴とする請求項３３に記載のＩＣ。
【請求項３６】
前記受信機は、前記サンプル・データ・ストリームがそれぞれのサンプラによって２倍のチップレートにおいてサンプリングされ、および前記イコライザフィルタによってチップレートにダウンサンプリングされる符号分割多重接続（ＣＤＭＡ）受信機であることを特徴とする請求項３３に記載のＩＣ。
【請求項３７】
前記フィルタ係数の補正項が、デスプレッドパイロットのシーケンスにより生成されることを特徴とする請求項３３に記載のＩＣ。
【請求項３８】
前記フィルタ係数の補正項が、非デスプレッドパイロットのシーケンスにより生成されることを特徴とする請求項３３に記載のＩＣ。
【請求項３９】
前記フィルタ係数の補正項が、正規化された最小二乗平均（ＮＬＭＳ）のアルゴリズムを使用して前記タップ係数ジェネレータにより生成されることを特徴とする請求項３３に記載のＩＣ。
【請求項４０】
前記タップ係数ジェネレータは、
前記ベクトルデスクランブル乗算器と前記補正項ジェネレータとの間に連結されたベクトルアキュムレータと、
前記イコライザ出力乗算器と前記加算器との間に連結されたチップアキュムレータと
をさらに有することを特徴とする請求項３３に記載のＩＣ。
【請求項４１】
複数のアンテナから受信される信号を処理する方法であって、
（ａ）前記アンテナのそれぞれの１つにより受信される信号によって、複数のサンプル・データ・ストリームを生成するステップと、
（ｂ）前記サンプル・データ・ストリームを１つのマージされたサンプル・データ・ストリームにマージするステップと、
（ｃ）前記マージされたサンプル・データ・ストリームを処理するステップと、
（ｄ）前記マージされたサンプルストリームをフィルタ係数により処理するステップと、
（ｅ）少なくとも１つのフィルタ係数の補正項を生成するステップと、
（ｆ）等化された出力信号を受信し、前記等化された出力信号をスクランブルコード共役信号と乗算して、デスクランブルされ等化された出力信号を生成するステップと、
（ｇ）イコライザＴＤＬ信号を受信し、前記イコライザＴＤＬ信号を前記スクランブルコード共役信号と乗算して、値Ｘを有するベクトル信号を生成するステップと、
（ｈ）パイロット基準信号から前記第１デスクランブル信号を減算して、誤差信号を生成するステップと、
（ｉ）前記ベクトル信号によって、‖Ｘ‖２に等しい値を有する信号を生成するステップと、
（ｊ）前記等化された出力信号および前記イコライザＴＤＬ信号を生成するのに使用されるタップ値を表すベクトル信号を生成するステップと
を備えたことを特徴とする方法。
【請求項４２】
前記ステップ（ａ）〜（ｃ）を実行するのに符号分割多重接続（ＣＤＭＡ）受信機が使用され、
（ｋ）前記サンプル・データ・ストリームを２倍のチップレートにおいてサンプリングするステップと、
ｌ）前記マージされたサンプル・データ・ストリームを４倍の前記チップレートにおいて処理するステップと
をさらに備えたことを特徴とする請求項４１に記載の方法。
【請求項４３】
前記フィルタ係数の補正項が、デスプレッドパイロットのシーケンスによって生成されることを特徴とする請求項４１に記載の方法。
【請求項４４】
前記フィルタ係数の補正項が、非デスプレッドパイロットのシーケンスによって生成されることを特徴とする請求項４１に記載の方法。
【請求項４５】
前記フィルタ係数の補正項が、正規化された最小二乗平均（ＮＬＭＳ）のアルゴリズムを使用して生成されることを特徴とする請求項４１に記載の方法。
【請求項４６】
複数のアンテナから受信される信号を処理する方法であって、
（ａ）前記アンテナのそれぞれの１つにより受信された前記信号によって、複数のサンプル・データ・ストリームを生成するステップと、
（ｂ）前記サンプル・データ・ストリームを処理するステップと、
（ｃ）フィルタ係数を使用して前記サンプル・データ・ストリームを処理するステップと、
（ｄ）少なくとも１つのフィルタ係数の補正項を生成するステップと、
（ｅ）それぞれのサンプル・データ・ストリームを長さＬのベクトル信号に変換するステップと、
（ｆ）各々長さＬのベクトル信号をスクランブルコード共役信号と乗算して、それぞれのデスクランブルベクトル信号を生成するステップと、
（ｇ）複数の等化された出力信号を加算して、加算されたイコライザ出力信号を生成するステップと、
（ｈ）前記加算されたイコライザ出力信号を前記スクランブルコード共役信号と乗算して、デスクランブルされ加算されたイコライザ信号を生成するステップと、
（ｉ）パイロット基準信号から前記デスクランブルされ加算されたイコライザ信号を減算して、共通誤差信号を生成するステップと、
（ｊ）前記共通誤差信号およびそれぞれのデスクランブルベクトル信号によって補正項を生成するステップと
を備えたことを特徴とする方法。
【請求項４７】
前記ステップ（ａ）および（ｂ）を実行するのに符号分割多重接続（ＣＤＭＡ）受信機が使用され、
（ｋ）前記サンプル・データ・ストリームを２倍のチップレートにおいてサンプリングするステップと
をさらに備えたことを特徴とする請求項４６に記載の方法。
【請求項４８】
前記ステップ（ａ）〜（ｄ）を実行するのに符号分割多重接続（ＣＤＭＡ）受信機が使用され、
（ｋ）前記サンプル・データ・ストリームを２倍のチップレートにおいてサンプリングするステップと、
（ｌ）前記サンプル・データ・ストリームをチップレートにダウンサンプリングするステップと
をさらに備えたことを特徴とする請求項４６に記載の方法。
【請求項４９】
前記フィルタ係数の補正項が、デスプレッドパイロットのシーケンスによって生成されることを特徴とする請求項４６に記載の方法。
【請求項５０】
前記フィルタ係数の補正項が、非デスプレッドパイロットのシーケンスによって生成されることを特徴とする請求項４６に記載の方法。
【請求項５１】
前記フィルタ係数の補正項が、正規化された最小二乗平均（ＮＬＭＳ）のアルゴリズムを使用して生成されることを特徴とする請求項４６に記載の方法。
【請求項５２】
複数のアンテナから受信される信号を処理する方法であって、
（ａ）前記アンテナのそれぞれの１つにより受信された信号によって、複数のサンプル・データ・ストリームを生成するステップと、
（ｂ）チャネルインパルス応答を推定するステップと、
（ｃ）推定されたチャネルインパルス応答によって前記サンプル・データ・ストリームを処理して、複数の処理された信号を生成するステップと、
（ｄ）前記処理された信号を組み合わせるステップと、
（ｅ）前記組み合わされ処理された信号を処理するステップと、
（ｆ）フィルタ係数を使用して前記組み合わされ処理された信号を処理するステップと、
（ｇ）少なくとも１つのフィルタ係数の補正項を生成するステップと、
（ｈ）前記組み合わされ処理された信号を長さＬのベクトル信号に変換するステップと、
（ｉ）Ｓ→Ｐ−ベクトル変換器によって出力された長さのＬベクトル信号にスクランブルコード共役信号を乗算して、デスクランブルベクトル信号を生成すること、
（ｊ）等化された出力信号をスクランブルコード共役信号と乗算して、デスクランブルイコライザ信号を生成するステップと、
（ｋ）パイロット基準信号から前記デスクランブルイコライザ信号を減算して、誤差信号を生成するステップと、
（ｌ）前記誤差信号および前記デスクランブルベクトル信号によって補正項を生成するステップと
を備えたことを特徴とする方法。
【請求項５３】
前記ステップ（ａ）〜（ｅ）を実行するのに符号分割多重接続（ＣＤＭＡ）受信機が使用され、
（ｍ）前記サンプル・データ・ストリームを２倍のチップレートにおいてサンプリングするステップと
をさらに備えたことを特徴とする請求項５２に記載の方法。
【請求項５４】
ステップ（ｄ）が、前記アンテナにより受信された信号についての複数のマルチパス成分を組み合わせるステップを含むことを特徴とする請求項５２に記載の方法。
【請求項５５】
前記ステップ（ａ）〜（ｅ）を実行するのに符号分割多重接続（ＣＤＭＡ）受信機が使用され、
（ｍ）前記サンプル・データ・ストリームを２倍のチップレートにおいてサンプリングするステップと、
（ｎ）前記サンプル・データ・ストリームをチップレートにダウンサンプリングするステップと
をさらに備えたことを特徴とする請求項５２に記載の方法。
【請求項５６】
前記フィルタ係数の補正項が、デスプレッドパイロットのシーケンスによって生成されることを特徴とする請求項５２に記載の方法。
【請求項５７】
前記フィルタ係数の補正項が、非デスプレッドパイロットのシーケンスによって生成されることを特徴とする請求項５２に記載の方法。
【請求項５８】
前記フィルタ係数の補正項が、正規化された最小二乗平均（ＮＬＭＳ）のアルゴリズムを使用して生成されることを特徴とする請求項５２に記載の方法。
【国際調査報告】
2008519559.tif 000045
2008519559.tif 000046
2008519559.tif 000047